(57)【要約】【課題】近年社会問題化している徘徊老人の保護、及び災害被害者の身元確認を合わせて行うシステムを提供する。【解決手段】樹脂フィルムに印刷されたキャラクター又は図形マークを読み取る読取手段と、キャラクター又は図形マーク及びキャラクター又は図形マークと紐付けされた組織単位の名称情報及び連絡先情報を記録したサーバーと、キャラクター又は図形マークを読み取り、組織単位の名称情報と連絡先情報を表示するアプリケーションソフトを含む。【選択図】図１
2019003441.tif 000002
【特許請求の範囲】
【請求項１】
失踪者及び身元不明者の連絡先確認システムであって、
樹脂フィルムに印刷されたキャラクター又は図形マークと、
前記キャラクター又は前記図形マークを画像として読み取る読取手段と、
前記キャラクター又は前記図形マーク、及び前記キャラクター又は前記図形マークと予め紐付けされた組織単位の名称情報及び連絡先情報が記録され、かつ画像認識システムを備えたサーバーと、
前記読取手段によって前記キャラクター又は前記図形マークを読み取った際、インターネット回線を通じて前記サーバーにアクセスし、かつ前記組織単位の名称情報と前記連絡先情報を前記読取手段に表示するアプリケーションソフトを含む、
ことを特徴とする失踪者及び身元不明者の連絡先確認システム。
【請求項２】
前記キャラクターが、ご当地ゆるキャラである、
ことを特徴とする請求項１に記載の失踪者及び身元不明者の連絡先確認システム。
【請求項３】
前記図形マークが、各市町村のマーク、各介護施設のマーク、各老人ホームのマーク、病院のマーク、幼稚園又は保育園を含む各種学校の校章、旅行会社のマークのいずれかである、
ことを特徴とする請求項１に記載の失踪者及び身元不明者の連絡先確認システム。
【請求項４】
前記キャラクター又は前記図形マークが、前記組織単位で創作した独自のキャラクター又は図形マークである、
ことを特徴とする請求項１に記載の失踪者及び身元不明者の連絡先確認システム。
【請求項５】
前記樹脂フィルムは、爪及び皮膚等の人体の一部に貼り付け可能なシールである、
ことを特徴とする請求項１ないし４のいずれか１項に記載の失踪者及び身元不明者の連絡先確認システム。
【請求項６】
前記樹脂フィルムは、被服、靴、カバン及びキーホルダー等の持ち物に貼り付け可能なシールである、
ことを特徴とする請求項１ないし４のいずれか１項に記載の失踪者及び身元不明者の連絡先確認システム。
【発明の詳細な説明】
【技術分野】
【０００１】
本願発明は、近年大きな社会問題化しつつある徘徊老人等の失踪者や、地震を始めとする災害時に発見される身元不明者等の連絡先確認システムに関する。
【背景技術】
【０００２】
本格的な高齢化社会を迎える我が国は、認知症やアルツハイマー病等によって、家族や介護福祉士が知らない間に勝手に外出し、徘徊したまた戻らない身元不明の老人が多数保護され、大きな社会問題となっている。
【０００３】
また我が国は、先の東日本大震災の際に、瓦礫の下敷きになった者や津波で流されてしまった者の身元判明に苦慮した経験を有している。
【０００４】
こうした問題を解決するため、例えば特許文献１、２、３には、衣服や靴等に名札を付ける方法が、また特許文献４ではマイクロチップ等を入れ歯に埋め込む方法などが提案されているが、いずれもアイデアとしては成立するが、現実的ではない。
【０００５】
本出願人は、徘徊老人等の身元確認システムとして、ＱＲコード（登録商標）等の二次元コードを活用し、これを爪に貼り付けて、警察等の発見者（保護者）が、スマートフォン等を利用して二次元コードを読取ることで、サーバーに記録されている情報にアクセスし、氏名、連絡先等の情報を取得できるようにしたいくつかの発明を既に提案しており（特許文献５、６）、実際にいくつかの自治体と協力して実証実験を行ってきた。
【０００６】
本出願人による実証実験によれば、多くの老人がＱＲコード（登録商標）等の二次元コードシールを貼り付けられると不快感を示す等、精神的に受け入れ難い状況となること、また警察官等が保護した際に必要な基本的情報は、連絡先や入居している施設名だけで十分であり、個人情報は特に必要としていないことが判明した。
【０００７】
また、徘徊老人対策のみならず、地震等の災害に遭遇した被災者の連絡先入手対策としても、共通に活用しうるシステムの開発が求められている。
【先行技術文献】
【特許文献】
【０００８】
【特許文献１】特開２００２−８２６１９号公報
【特許文献２】登録実用新案第３０４１２０５号
【特許文献３】登録実用新案第３０２６５６６号
【特許文献４】登録実用新案第３１３９６３５号
【特許文献５】登録実用新案第３２０８０７６号
【特許文献６】特開２０１７−０４１１１９号公報
【発明の概要】
【発明が解決しようとする課題】
【０００９】
本願発明は、上記のとおり出願人による実証実験によって明らかになった諸課題を解決するとともに、及び地震等の災害に遭遇した被災者の連絡先入手対策としても、共通に活用しうるシステムを開発することを目的とする。
【課題を解決するための手段】
【００１０】
本願発明は、上記目的を達成するため、失踪者及び身元不明者の連絡先確認システムであって、樹脂フィルムに印刷されたキャラクター又は図形マークと、前記キャラクター又は前記図形マークを画像として読み取る読取手段と、前記キャラクター又は前記図形マーク、及び前記キャラクター又は前記図形マークと予め紐付けされた組織単位の名称情報及び連絡先情報が記録され、かつ画像認識システムを備えたサーバーと、前記読取手段によって前記キャラクター又は前記図形マークを読み取った際、インターネット回線を通じて前記サーバーにアクセスし、かつ前記組織単位の名称情報と前記連絡先情報を前記読取手段に表示するアプリケーションソフトを含む、ことを特徴とする。
【発明の効果】
【００１１】
本願発明によれば、キャラクター又は図形マークを用いることで、徘徊可能性のある老人が心理的な抵抗なく身に着けることができ、かつ徘徊先で発見された際も、個人情報は特定されず悪用されることが無い。
【００１２】
またキャラクター又は図形マークを、本人が所属する組織単位（自治体、施設、病院、幼稚園又は保育園を含む各種学校、旅行会社等）のマークとすることで、遠足や修学旅行等の旅先での災害時に、所属元を確認することができる。例えば、ご当地ゆるキャラのキャラクターを使用した場合、老人や園児が積極的に喜んで身に着けてくれる効果がある。さらには、旅行会社が主催するツアー等において何らかの事故や災害に巻き込まれたとしても、会社側が用意したキャラクター又は図形マークを付けておけば、当該ツアー参加者であることを確認することができる。
【図面の簡単な説明】
【００１３】
【図１】本願発明の全体像を示す概略図
【図２】データベースの登録情報
【図３】キャラクター又は図形マーク入りのシールの例
【図４】キャラクター又は図形マークを読み取った後に表示される情報の例
【発明を実施するための最良の形態】
【００１４】
以下、本願発明の実施例について説明する。図１は、システム全体の構成を模式的に示したものであり、システムを一括して管理運営するＡ社（Ａ社のサーバー）と、当該システムを利用するＢ、Ｃ、・・・等の利用組織単位（自治体、施設、病院、幼稚園又は保育園を含む各種学校）の入力システム２と、警察官等が使用するスマートフォン５と、各利用組織単位が登録するキャラクター又は図形マーク４から構成されている。
【００１５】
管理運営するＡ社のサーバーには、キャラクター又は図形マーク４のイメージデータと、当該イメージデータと紐付けされた組織情報（組織名、所在地、代表者、電話番号等）が記録されているデータベース１と、画像認識システム３が構築されている。画像認識システムは、例えばＡＲ（ＡｕｇｍｅｎｔｅｄＲｅａｌｉｔｙ拡張現実システム）等である。
【００１６】
自治体、施設、病院、幼稚園又は保育園を含む各種学校からなる各利用組織単位は、それぞれの入力システム２からインターネットを通じて、管理運営するＡ社のシステムにアクセスし、図２に示すとおり、キャラクター又は図形マーク４のイメージデータと、施設情報（施設名、所在地、代表者、電話番号等）を入力する。入力されたデータは、データベース１に記録される。なお、入力システム２は、ＰＣ、タブレット端末、スマートフォン等である。
【００１７】
各利用組織単位が登録するキャラクター又は図形マーク４は、各自治体が作成したご当地ゆるキャラや、介護施設のロゴマーク、病院のロゴマーク、幼稚園又は保育園を含む各種学校の校章等の図形マークである。
【００１８】
本システムを管理運営するＡ社は、図３に示すとおり、各利用組織単位が登録するキャラクター又は図形マーク４を樹脂フィルム上に印刷してシール化し、必要数を各利用組織単位に送付する。当該シールを受取った各利用組織単位は、組織単位に所属する者に配布し、所属する者はこれを必要な箇所に貼り付ける。
【００１９】
図３には、シール化する際の各種形態を示しているが、キャラクター又は図形マーク４を爪に貼り付ける際はネイルシールとし（５−１参照）、皮膚に貼り付ける際は医療用シールとし（５−２参照）、被服、靴、カバン及びキーホルダー等の持ち物に貼り付ける場合には通常のシール（５−３参照）とする。管理運営するＡ社は、各利用組織単位からの要望に基づいて、どの形態のシールを何枚作成するかを決定する。
【００２０】
警察官等が使用するスマートフォン５には、本システムを利用するためのアプリケーションソフトが、予め管理運営するＡ社のサーバーからダウンロードされている。例えば、警察官等がキャラクター又は図形マーク４が爪に貼り付けられている徘徊老人を発見した場合、スマートフォン５によって当該キャラクター又は図形マーク４を読み取ると、読取った画像データがインターネットを介してＡ社のサーバーに送信され、画像認識システム３によって、データベース内に記録されているキャラクター又は図形マーク４と照合する。一致した画像が存在していた場合、図４に示すとおり、スマートフォン５の画面上に、一致した画像に紐付けられている施設名、施設長、連絡先が表示されるようになっている。なお、連絡先情報に、住所情報、地図情報等を含んでも良い。
【００２１】
例えばＸ市役所が、当該Ｘ市内の徘徊老人問題を解決するために、Ｘ市役所の社会福祉課を担当窓口として本システムを利用する場合、Ｘ市のマークが印刷されたネイルシールを必要とする各家庭や介護施設等に配布し、家族や施設関係者が徘徊可能性のある老人の爪に当該ネイルシールを貼りつける。ネイルシールを貼った老人が、近隣のＹ市まで徘徊し、警察官によって保護された場合、警察官がアプリ入りのスマートフォンでＸ市のマークを読み取ると、Ｘ市役所の情報が画面に表示され、担当者に連絡することができる。
【００２２】
また例えば、Ｚ幼稚園が遠足用に本システムを利用する場合、遠足に参加する園児全員のカバンに幼稚園のマークが入ったシールを貼りつけておく。遠足先で、不慮の事故や災害に遭遇した場合、救援隊はシールにある当該幼稚園のマークを読み取ることで、該当者がＺ幼稚園児であることを確認することができる。
【００２３】
上記のとおり、本システムを学校組織が利用する場合、学校のマーク（校章）に年次、組の情報を入れておくことも可能である。例えば、Ｚ幼稚園のマークの下に「１−１」の数字を入れておき、「１−１」は「年長、さくら組」の情報であることを紐付けておけば、スマートフォンで画像を読み取った後、画面には「Ｚ幼稚園、年長、さくら組」の情報を表示することができる。
【００２４】
また例えば、Ｄ旅行会社が主催するツアーに本システムを利用する場合、当該ツアー用のキャラクター又は図形マークが入ったシールを使用する。Ｄ旅行会社は、ツアー参加者全員に希望の形態のシールを聞き、参加者は自分が希望したシールを自分で貼り付ける。ネイルシールを希望した者は爪に、通常のシールを希望した者はカバン等に貼り付ける。旅先で、不慮の事故や災害に遭遇した場合、救援隊は当該シールにあるキャラクター又は図形マークを読み取ることでＤ社ツアー参加者であることを確認することができる。
【００２５】
更には、ツアー参加者が旅の途中ではぐれてしまっても、自分のスマートフォンで自分に貼ってあるキャラクター又は図形マークを読み取ることで、Ｄ旅行会社に自分の状況を連絡することができる。
【００２６】
以上のとおり本願発明によれば、キャラクター又は図形マークを用いることで、徘徊可能性のある老人が心理的な抵抗なく身に着けることができ、かつ徘徊先で発見された際も、個人情報は特定されず悪用されることが無い。
【００２７】
またキャラクター又は図形マークを、本人が所属する組織単位（自治体、施設、病院、幼稚園又は保育園を含む各種学校、旅行会社等）のマークとすることで、遠足や修学旅行等の旅先での災害時に、所属元を確認することができる。さらには、旅行会社が主催するツアー等においても、会社が用意したキャラクター又は図形マークを付けておけば、当該ツアー参加者であることを確認することができ、かつ団体行動からはぐれてしまった場合に、自分自身でマークを読取って、ツアー会社に状況を連絡することも出来る。
【符号の説明】
【００２８】
１  データベース
２  入力システム
３  画像認識システム
４  キャラクター又は図形マーク
５  スマートフォン
【図１】
2019003441.tif 000003
【図２】
2019003441.tif 000004
【図３】
2019003441.tif 000005
【図４】
2019003441.tif 000006